(57)【要約】【課題】  極めてシンプルな構成でありながら、ポリ袋等のゴミ袋の開口部を単純な作業によって縛って確実に密封することができ、密封した後の運搬に際しても持ちやすい形状を提供することができるゴミ袋閉じテープを提供する。【解決手段】  上記課題を解決するため、所定長のテープ材の遊端部同士を接合した環状のゴミ袋閉じテープであって、該閉じテープの長手方向一端縁中央部から他端縁手前位置までに分断が容易な仮止め線を備えた。【選択図】  図１
2005350165.tif 000002
【特許請求の範囲】
【請求項１】
所定長のテープ材の遊端部同士を接合した環状のゴミ袋閉じテープであって、
該閉じテープの長手方向一端縁中央部から他端縁手前位置までに分断が容易な仮止め線を備えたことを特徴とするゴミ袋閉じテープ。
【請求項２】
２枚のテープ材の長手方向両端部同士を接合した環状のゴミ袋閉じテープであって、
該ゴミ袋閉じテープの長手方向一端縁中央部から他端縁手前位置までに分断が容易な仮止め線を備えたことを特徴とするゴミ袋閉じテープ。
【請求項３】
前記テープ材の長手方向一端部同士を広い面積に亘って接合した広範囲接合領域を備え、該広範囲接合領域の幅方向中央部から他端縁手前位置までに前記仮止め線を形成したことを特徴とする請求項１、又は２に記載のゴミ袋閉じテープ。
【発明の詳細な説明】
【技術分野】
【０００１】
本発明は、極めて簡易な構成でありながら、ゴミ袋の開口部を簡単、且つ作業性よく確実に閉じて、悪臭の漏れ出し等を防止できるゴミ袋閉じテープに関する。
【背景技術】
【０００２】
ゴミ収集場に家庭やオフィスのゴミを出す際には、当該市町村等で決められたポリエステル製のゴミ袋の使用が義務づけられている。
このゴミ袋を収集場に出すためにその開口を閉じる場合には、通常、開口部周縁の対向する２カ所を両手で把持して縛りやすく変形させてから結ぶのが一般である。しかし、このような作業は、結びにくく、密封しにくいため、内容物や、悪臭が漏れ出たり、雨の日には雨水が浸入し易くなる。また、開口を縛った後のゴミ袋を運搬する際には結び目、或いはその近傍を把持することになるが、持ちにくいという欠点がある。また、ゴミ袋が満杯に近い場合には、開口部周縁に縛るための十分な余裕がなくなるため、ガムテープ等を用いて開口を塞ぐなどの煩雑な作業が必要であった。また、木綿、樹脂等の紐を用いて開口を縛ることも可能ではあるが、作業性が悪く余程器用か、力のある人間でないと漏れが生じない程度に密封することは困難であった。
特開２００２−２３４５５０には、縛るための取っ手をつけたポリ袋として、袋の口を縛るために、袋の口の左右に突起を設けた構成が開示されている。しかり、理由は定かではないが、このような構成を備えた袋は一般的ではなく、市町村等で採用するゴミ袋は全てこのような突起を備えていない通常の袋である。そして、このような通常の袋の口を縛るための方法については、同公報には開示されていない。
また、従来の縛りひもとして、例えば特開２００３−２１２２６６公報には４本の短冊状シート体の端部同士を固着して十字状にした構成が開示されているが、ゴミ袋の開口を閉じるには不便な構成である。
【特許文献１】特開２００２−２３４５５０公報
【特許文献２】特開２００３−２１２２６６公報
【発明の開示】
【発明が解決しようとする課題】
【０００３】
本発明は上記に鑑みてなされたものであり、極めてシンプルな構成でありながら、ポリ袋等のゴミ袋の開口部を単純な作業によって縛って確実に密封することができ、密封した後の運搬に際しても持ちやすい形状を提供することができるゴミ袋閉じテープを提供することを目的としている。
【課題を解決するための手段】
【０００４】
上記課題を解決するため、請求項１の発明は、所定長のテープ材の遊端部同士を接合した環状のゴミ袋閉じテープであって、該閉じテープの長手方向一端縁中央部から他端縁手前位置までに分断が容易な仮止め線を備えたことを特徴とする。
請求項２の発明は、２枚のテープ材の長手方向両端部同士を接合した環状のゴミ袋閉じテープであって、該ゴミ袋閉じテープの長手方向一端縁中央部から他端縁手前位置までに分断が容易な仮止め線を備えたことを特徴とする。
請求項３の発明は、請求項１、又は２において、前記テープ材の長手方向一端部同士を広い面積に亘って接合した広範囲接合領域を備え、該広範囲接合領域の幅方向中央部から他端縁手前位置までに前記仮止め線を形成したことを特徴とする。
【発明の効果】
【０００５】
請求項１、２の発明によれば、テープ材を環状に構成した閉じテープを形成し、この閉じテープの長手方向一端縁中央部から他端縁手前位置までに分断が容易な仮止め線を設けたので、閉じテープの一端の環状部内に他端を差し入れることによって形成される輪部内にゴミ袋の開口部寄りの適所を差し入れて輪部を緊縮させるように閉じテープの他端を引き絞ることにより、強力な緊縮力によってゴミ袋開口を縛ることができる。更に、閉じテープの他端を仮止め線から分断して細幅領域を形成し、この細幅領域同士を縛ることによってゴミ袋を更に強力に縛ることができる。
請求項３の発明によれば、テープ材の長手方向一端部同士を広い面積に亘って接合した広範囲接合領域を備え、該広範囲接合領域の幅方向中央部から他端縁手前位置までに前記仮止め線を形成したので、縛る作業や持ち上げる際に、十分な強度を維持することが可能となる。
【発明を実施するための最良の形態】
【０００６】
以下、本発明を図面に示した実施の形態により詳細に説明する。
図１は本発明のゴミ袋閉じテープの構成を示す斜視図、図２（ａ）（ｂ）はゴミ袋の開口を縛る手順を示す説明図、図３は更に確実に縛った状態を示す図である。
この閉じテープ１は、ポリエステルその他の樹脂シート、布等から成る所定長の一枚のテープ材２の遊端部２ａ同士を接合することにより環状に構成されている。閉じテープ１の長手方向一端縁中央部から他端縁手前位置までに分断が容易なミシン目などから成る仮止め線５を備えている。遊端部２ａ同士の接合方法としては、接着、溶着等、任意の方法でよい。
また、テープ材２の遊端部２ａ同士を広い面積に亘って接合することによって広範囲接合領域２Ａを形成すると共に、広範囲接合領域２Ａの幅方向中央部から他端縁手前位置までに仮止め線５を形成する。このように構成することにより、仮止め線５の両側に位置する各細幅領域２ｂの先端部に夫々広範囲接合領域２Ａ’が形成されることとなる。広範囲接合領域２Ａ’は、各細幅領域２ｂの端部を補強する領域であり、細幅領域同士を縛ったり、縛った後に把持する際の手掛かりとなる。また、図示のようにテープ材の遊端部は、各角隅部をテーパ状に面取りしておくことにより、縛る際の作業性が高まる。
なお、必要に応じて、テープ材の遊端部２ａとは反対側の端縁の中央部を接着、溶着による接合部６を設けることにより、保形性を高め、閉じテープがねじれたり、ゆがんだり、無闇に変形することを防止することができる。
この閉じテープ１は、未使用状態においては、仮止め線５により細幅領域同士が一体化しているため、保管、その他の取扱上極めて便利である。この閉じテープは、ゴミ袋とともに販売してもよいし、別売りしてもよい。
なお、上記実施形態では一枚のテープ材を二つ折り、或いは環状に構成してその遊端部同士を接合したが、２枚のテープ材の長手方向両端部同士を接合することにより環状に構成してもよい。この場合も、ゴミ袋閉じテープの長手方向一端縁中央部から他端縁手前位置までに分断が容易な仮止め線を形成する。
【０００７】
図２（ａ）（ｂ）は、上記構成を備えた閉じテープ１を用いてゴミ袋１０の開口１０ａの周縁を閉じる手順を説明する。
まず、図２（ａ）に示すように、仮止め線５を切断しない状態で閉じテープ１の遊端部側を、他端側の環状部内に差し入れることによって輪部Ｒを形成し、この輪部Ｒ内にゴミ袋の開口部周縁を差し込む。次いで、遊端部側を矢印ａ方向へ引っ張ることにより、輪部Ｒを縮径させて絞り込み、最終的に（ｂ）に示すように開口を密封した状態で開口部近傍を縛る。この状態でも、テープ同士の摩擦、テープとゴミ袋間の摩擦によってほどける心配はないが、ほどく必要がある場合には、輪部Ｒを開放する操作をすれば、比較的容易に開放することができる。また、この状態で袋を運搬する場合には遊端部側を把持しても良いし、遊端部側の環状部内に指、或いは手を差し入れて把持すればよい。そして、遊端部側を把持してゴミ袋を持ち上げることにより、ゴミ袋の重量により輪部Ｒの絞り込みが進み、更に強固にゴミ袋の開口が閉じられる。
【０００８】
次に、図３は更に厳重に縛る場合の操作例であり、図２（ｂ）のように輪部Ｒを絞り込んで袋の開口を縛っただけでは不安な場合には、テープの仮止め線５から分断して２つの細幅領域２ｂを形成し、この細幅領域同士を縛ればよい。これにより、より確実に密封を行いつつ縛ることができる。
この際、各細幅領域２ｂは環状になっているため、その内部に指、或いは手を差し入れることにより、持ち手として利用することができる。
【図面の簡単な説明】
【０００９】
【図１】本発明のゴミ袋閉じテープの構成を示す斜視図。
【図２】（ａ）（ｂ）はゴミ袋の開口を縛る手順を示す説明図。
【図３】更に確実に縛った状態を示す図。
【符号の説明】
【００１０】
１  閉じテープ、２  テープ材、２ａ  遊端部、２Ａ、２Ａ’  広範囲接合領域、２ｂ  細幅領域、５  仮止め線、６  接合部、１０  ゴミ袋、１０ａ  開口、Ｒ  輪部。
【図１】
2005350165.tif 000003
【図２】
2005350165.tif 000004
【図３】
2005350165.tif 000005